(57)【要約】      （修正有）【課題】柱型枠の搬入作業及び組み立て解体作業が容易かつ迅速に行え、労力の軽減と工期短縮が可能な柱型枠装置を提供する。【解決手段】ＳＲＣ造柱１を構築する際の柱型枠装置であって、柱の周方向に、分割位置が柱の側面上となるように複数に分割され、互いに組み立てた際に管状に形成される複数の分割された各分割柱型枠パネル２ａ、２ｂを備え、各分割柱型枠パネルは、複数のキャスター４１を供えた移動式足場３の一側に立設した状態で備えられ、各分割柱型枠パネルには、該各分割柱型枠パネルを移動式足場の移動により柱鉄骨５まで移動させた状態で、柱鉄骨の外周を囲む状態に柱型枠２を互いに組み付け設置する連結手段を備える。各分割柱型枠パネルは、パネル２１、２２の側端面相互間が連結金具２３で連結され、コラムクランプ２４、２５相互間がボルト・ナット２７とブラケット２８で着脱可能に連結される。【選択図】図１
0003194686.tif 000002
【実用新案登録請求の範囲】
【請求項１】
ＳＲＣ造柱を構築する際の柱型枠装置であって、
前記柱の周方向に、分割位置が前記柱の側面上となるように複数に分割され、互いに組み立てた際に管状に形成される複数の分割された各分割柱型枠パネルを備え、
前記各分割柱型枠パネルは、複数のキャスターを供えた移動式足場の一側に立設した状態で備えられ、
前記各分割柱型枠パネルには、該各分割柱型枠パネルを移動式足場の移動により柱鉄骨・鉄筋まで移動させた状態で、柱鉄骨・鉄筋の外周を囲む状態に柱型枠を互いに組み付け設置する連結手段を備えることを特徴とする柱型枠装置。
【請求項２】
請求項１記載の柱型枠装置において、
前記柱型枠は、２枚のパネルの側端面相互間を連結金具で連結するとともに、複数のコラムクランプで平面視で直角Ｌ形に組み立てられた２個の分割柱型枠パネルで構成されていることを特徴とする柱型枠装置。
【請求項３】
請求項２記載の柱型枠装置において、
前記各分割柱型枠パネルは、パネルの側端面相互間を連結金具で連結するとともに、コラムクランプ相互間を着脱可能な連結手段で連結することで両分割柱型枠パネル相互間を連結するように構成されていることを特徴とする柱型枠装置。
【請求項４】
請求項２又は３に記載の柱型枠装置において
前記移動式足場は、一方の分割柱型枠パネル側に連結され、他方の分割柱型枠パネル側には、複数のキャスター付きアウトリガーが取り付けられていることを特徴とする柱型枠装置。
【請求項５】
請求１〜４のいずれか１項に記載の柱型枠装置において
前記パネルはアルミニューム若しくはアルミニューム合金で構成されていることを特徴とする柱型枠装置。
【考案の詳細な説明】
【技術分野】
【０００１】
本考案は、ＳＲＣ造柱を構築する際の柱型枠装置に関する。
【背景技術】
【０００２】
従来、ＳＲＣ造柱の型枠施工法としては、柱の周方向に、分割位置が柱の側面上となるように複数に分割され、互いに組み立てた際に角管状に形成される柱型枠パネルを配置する工程と、
隣接する柱型枠パネルの端部間を連結手段により分離可能に連結する工程と、
隣接する柱型枠パネルの連結部を跨ぐように当該隣接する柱型枠パネル間に横端太を着脱可能に取り付ける工程とからなり、
複数の柱型枠パネルは、柱が構築される基盤上に横向きに載置するとともに、この状態で基盤上でその下端を支点として立て起こすことにより縦向きに配置するようにしたものが知られている（例えば、特許文献１参照。）。
【先行技術文献】
【特許文献】
【０００３】
【特許文献１】特開２００９−９４２７４号公報
【考案の概要】
【考案が解決しようとする課題】
【０００４】
しかしながら、従来例のＳＲＣ造柱型枠装置にあっては、上述のように、分割された複数の柱型枠パネルは、柱が構築される基盤上に横向きに載置するとともに、基盤上で柱型枠パネルをその下端を支点として立て起こすことにより縦向きに配置し、その状態を維持した状態で各柱型枠パネル相互間を連結手段で連結するようにしたものであったため、以下に述べるような問題点があった。
【０００５】
すなわち、分割された複数の柱型枠パネルを、まず柱が構築される基盤まで移動させるのに移動式クレーンが必要であるため、柱型枠パネルの搬入作業に多くの労力と時間を要するという問題があった。
【０００６】
また、ＳＲＣ構造では、柱鉄骨・鉄筋・床スラブデッキが既に張られた状態にある関係で、基盤まで移動した各柱型枠パネルを、基盤上でその下端を支点として立て起こして縦向きに配置する作業にクレーンを用いることができず、このため、従来では、柱芯材の柱鉄骨・鉄筋に複数個のチェーンブロックを取り付け、この取り付けた複数個のチェーンブロックを操作して各柱型枠パネルを立て起こす必要があるため、チェーンブロックの操作作業だけでなく、チェーンブロックの取り付け及び取り外し作業を各柱ごとに行う必要があるため、多くの労力と時間を要するという問題があった。
【０００７】
本考案の解決しようとする課題は、柱型枠の搬入作業及び組み立て解体作業が容易かつ迅速に行え、労力の軽減と工期短縮が可能な柱型枠装置を提供することにある。
【課題を解決するための手段】
【０００８】
上記課題を解決するため請求項１記載の柱型枠装置は、ＳＲＣ造柱を構築する際の柱型枠装置であって、
前記柱の周方向に、分割位置が前記柱の側面上となるように複数に分割され、互いに組み立てた際に管状に形成される複数の分割された各分割柱型枠パネルを備え、
前記各分割柱型枠パネルは、複数のキャスターを供えた移動式足場の一側に立設した状態で備えられ、
前記各分割柱型枠パネルには、該各分割柱型枠パネルを移動式足場の移動により柱鉄骨・鉄筋まで移動させた状態で、柱鉄骨・鉄筋の外周を囲む状態に柱型枠を互いに組み付け設置する連結手段を備えることを特徴とする手段とした。
【０００９】
また、請求項２記載の柱型枠装置は、請求項１記載の柱型枠装置において、
前記柱型枠は、２枚のパネルの側端面相互間を連結金具で連結するとともに、複数のコラムクランプで平面視で直角Ｌ形に組み立てられた２個の分割柱型枠パネルで構成されていることを特徴とする手段とした。
【００１０】
また、請求項３記載の柱型枠装置は、請求項２記載の柱型枠装置において、
前記各分割柱型枠パネルは、パネルの側端面相互間を連結金具で連結するとともに、コラムクランプ相互間を着脱可能な連結手段で連結することで両分割柱型枠パネル相互間を連結するように構成されていることを特徴とする手段とした。
【００１１】
また、請求項４記載の柱型枠装置は、請求項２又は３に記載の柱型枠装置において
前記移動式足場は、一方の分割柱型枠パネル側に連結され、他方の分割柱型枠パネル側には、複数のキャスター付きアウトリガーが取り付けられていることを特徴とする手段とした。
【００１２】
また、請求項５記載の柱型枠装置は、請求１〜４のいずれか１項に記載の柱型枠装置において
前記パネルは、アルミニューム若しくはアルミニューム合金で構成されていることを特徴とする手段とした。
【考案の効果】
【００１３】
請求項１記載の柱型枠装置では、上述のように構成されるため、移動式足場に取り付けられた各分割柱型枠パネルを移動式足場の移動により柱鉄骨・鉄筋まで移動させ、複数の各分割柱型枠パネル相互間を連結することで柱鉄骨・鉄筋の外周を囲む状態に柱型枠を組み付け設置することができ、これにより、柱型枠パネルの搬入作業及び組み立て解体作業が移動式足場の移動により容易かつ迅速に行え、労力の軽減と工期短縮が可能になるという効果が得られる。
【００１４】
請求項２記載の柱型枠装置では、上述のように、柱型枠は、２枚のパネルの側端面相互間を連結金具で連結するとともに、複数のコラムクランプで平面視で直角Ｌ形に組み立てられた２個の分割柱型枠パネルで構成するようにしたことで、２個の分割柱型枠パネル相互間を２箇所で連結するだけで柱型枠の組み付け作業が容易かつ迅速に行えるようになる。
【００１５】
請求項３記載の柱型枠装置では、上述のように、各分割柱型枠パネルにおけるパネルの側端面相互間を連結金具で連結するとともに、コラムクランプ相互間を着脱可能な連結手段で連結することで両分割柱型枠パネル相互間を容易かつ迅速に連結することができるようになる。
【００１６】
請求項４記載の柱型枠装置では、上述のように、移動式足場は、一方の分割柱型枠パネル側に連結され、他方の分割柱型枠パネル側には、複数のキャスター付きアウトリガーが取り付けられることで、移動式足場による分割柱型枠パネルの移動の安定性を高めることができるようになる。
【００１７】
請求項５記載の柱型枠装置では、上述のように、パネルをアルミニューム若しくはアルミニューム合金で構成することで、分割式柱型枠パネルの移動作業を楽に行うことができるようになる。
【図面の簡単な説明】
【００１８】
【図１】実施例１の柱型枠装置を示す組み付け前の状態を示す平面図である。
【図２】実施例１の柱型枠装置を示す組み付け状態を示す平面図である。
【図３】実施例１の柱型枠装置における分割柱型枠パネルの組み付け状態を示す平面図である。
【図４】実施例１の柱型枠装置における分割柱型枠パネルを移動式足場に取り付けた状態を示す斜視図である。
【考案を実施するための形態】
【００１９】
以下にこの考案の実施例を説明する。
【実施例１】
【００２０】
まず、この実施例１の柱型枠装置を図面に基づいて説明する。
この柱型枠装置は、ＳＲＣ造柱１を構築する際の柱型枠装置であって、図１〜４に示すように、柱型枠２を構成する２つの分割柱型枠パネル２ａ、２ｂと、２台の移動式足場３、３とが用いられている。
【００２１】
さらに詳述すると、前記分割柱型枠パネル２ａ、２ｂは、構築される柱１の周方向に、分割位置が柱１の側面上となるように２つに分割されたもので、２枚のパネル２１、２２の側端面相互間をＴ形の連結金具２３で着脱可能に連結するとともに、各パネル２１、２２の外面に横向きに取り付けられた複数のコラムクランプ２４、２５相互間を着脱可能な連結手段２６で連結することで平面視で直角Ｌ形に組み立てられている。この連結手段は、コラムクランプ２４、２５に備えたボルト・ナット２７と、ボルト挿通孔を備えたブラケット２８で構成されている。
そして、２つの分割柱型枠パネル２、２を互いに組み立てることで、断面正方形の柱型枠２に形成されるようになっている。
【００２２】
また、図４に示すように、複数のコラムクランプ２４、２５はその外側においてそれぞれ２本の縦鋼管２９、３０で連結されている。
【００２３】
なお、この実施例１では、前記パネル２１の素材として、この実施例１では、軽量なアルミニューム若しくはアルミニューム合金が用いられている。
【００２４】
前記移動式足場３は、下端四隅に、移動可能なキャスター４１と高さ調整可能なアジャスター４２を備えたアウトリガー４を備え、床スラブ上などを自由に移動可能となっている。
【００２５】
次に、この実施例１の柱型枠装置を図１、２に基づいて説明する。
この実施例１の柱型枠装置では、以下の手順で柱型枠が施工される。
【００２６】
まず、２つに分割された各分割柱型枠パネル２ａ、２ｂを、それぞれ複数のキャスター４１と高さ調整可能なアジャスター４２を供えた移動式足場３の一側に立設した状態で取り付ける。その際、分割柱型枠パネル２ａ、２ｂの一方のパネル２１側の縦鋼管２９を移動式足場３の一側面に連結する。
また、他方のパネル２２側の縦鋼管３０には、移動可能なキャスター４１と高さ調整可能なアジャスター４２を備えた２個のアウトリガー４を取り付ける。
【００２７】
次に、前記移動式足場３に取り付けられた各分割柱型枠パネル２ａ、２ｂをそれぞれ移動式足場３、３の移動により柱鉄骨５まで移動させ、両分割柱型枠パネル２ａ、２ｂで柱鉄骨５の外周を囲む状態に対向させ、この状態で、両分割柱型枠パネル２ａ、２ｂ相互間をＴ形の連結金具２３と、コラムクランプ２４、２５に備えたボルト・ナット２７と、ボルト挿通孔を備えたブラケット２８で構成される連結手段で連結することで柱鉄骨５の外周を囲む状態に柱型枠２を組み付け設置する。
【００２８】
次に、一方のパネル２１を取り付けた移動式足場３のアウトリガー４と、他方のパネル２２に取り付けたアウトリガー４のアジャスター４２を調整して組み立てられた柱型枠２を床スラブ上に設置する。
【００２９】
以上で柱型枠２の施工を完了し、柱型枠２内にコンクリートを流し込む。
そして、コンクリートが固まった時点で、連結金具２３と連結手段（２７、２８）による両分割柱型枠パネル２ａ、２ｂの連結状態を解除し、アジャスター４２を調整して両分割柱型枠パネル２ａ、２ｂを床スラブから持ち上げた状態で、移動式足場３の移動により、両分割柱型枠パネル２ａ、２ｂを次の柱鉄骨５位置まで移動させる。
【００３０】
次に、この実施例１の効果を説明する。
この実施例１の柱型枠装置では、上述のように、移動式足場３に取り付けられた各分割柱型枠パネル２ａ、２ｂを移動式足場３の移動により柱鉄骨５まで移動させ、複数の各分割柱型枠パネル２ａ、２ｂ相互間を連結することで柱鉄骨５の外周を囲む状態に柱型枠２を組み付け設置することができるため、柱型枠２の搬入作業及び組み立て解体作業が移動式足場３の移動により容易かつ迅速に行え、労力の軽減と工期短縮が可能になるという効果が得られる。
【００３１】
また、上述のように、柱型枠２は、２枚のパネル２１、２２の側端面相互間を連結金具２３で連結するとともに、複数のコラムクランプ２４、２５で平面視で直角Ｌ形に組み立てられた２個の分割柱型枠パネル２ａ、２ｂで構成するようにしたことで、２個の分割柱型枠パネル２ａ、２ｂ相互間を２箇所で連結するだけで柱型枠２の組み付け作業が容易かつ迅速に行えるようになる。
【００３２】
また、上述のように、各分割柱型枠パネル２、２におけるパネル２１、２２の側端面相互間を連結金具２３で連結するとともに、コラムクランプ２４、２４相互間を着脱可能な連結手段（２７、２８）で連結することで両分割柱型枠パネル２ａ、２相互間を容易かつ迅速に連結することができるようになる。
【００３３】
また、上述のように、移動式足場３は、一方の分割柱型枠パネル２ａ側に連結され、他方の分割柱型枠パネル２ｂ側には、複数のキャスター付きアウトリガー４が取り付けられることで、移動式足場３により分割柱型枠パネル２ａ、２ｂを移動する際の安定性を高めることができるようになる。
【００３４】
また、上述のように、パネル２１、２２をアルミニューム若しくはアルミニューム合金で構成することで、分割式柱型枠パネル２ａ、２ｂの移動作業を楽に行うことができるようになる。
【００３５】
以上本実施例を説明してきたが、本考案は上述の実施例に限られるものではなく、本考案の要旨を逸脱しない範囲の設計変更等があっても、本考案に含まれる。
【００３６】
例えば、実施例では、パネル２１、２２の素材としてアルミニューム若しくはアルミミューム合金を用いたが、その他の金属及び木製型枠などでも用いることができる。
【００３７】
また、実施例では、柱型枠２を、Ｌ形の２分割としたが、コ字状又は半円弧状の２分割や、２個以上に分割するようにしてもよい。
【００３８】
また、実施例では、連結手段として、コラムクランプ２４、２５に備えたボルト・ナット２７と、ボルト挿通孔を備えたブラケット２８で構成した例を示したが、その他公知の連結手段を用いることができる。
【００３９】
また、実施例では、両パネル２１、２２の連結として、Ｔ形の連結金具２３で着脱可能に連結したが、その他公知の連結方法を採用することができる。
【符号の説明】
【００４０】
１  ＳＲＣ造柱
２  柱型枠
２ａ  分割柱型枠パネル
２ｂ  分割柱型枠パネル
２１  パネル
２２  パネル
２３  連結金具
２４  コラムクランプ
２５  コラムクランプ
２６  連結手段
２７  ボルト・ナット
２８  ブラケット
２９  縦鋼管
３０  縦鋼管
３  移動足場
４  アウトリガー
４１  キャスター
４２  アジャスター
５  柱鉄骨
【図１】
0003194686.tif 000003
【図２】
0003194686.tif 000004
【図３】
0003194686.tif 000005
【図４】
0003194686.tif 000006